(57)【要約】      （修正有）【課題】一つの撮影動作でワイド画像とズーム画像とを撮像する。【解決手段】２つのカメラを有する撮影装置１００は、モニタ１２０に表示される画面１０のうちのエリア２０がタッチ操作されたことを検知すると、画面１０の全体をワイド画面４０として、また、エリア２０を含むエリア３０をズーム画面５０として、それぞれ表示する。その後、シャッター操作に基づいて、ワイド画面に相当する第１の画像と、ズーム画面に相当する第２の画像とを撮像する。【選択図】図１
2013038632.tif 000002
【特許請求の範囲】
【請求項１】
撮影装置であって、
第１のカメラと、
第２のカメラと、
モニタと、
前記撮影装置に対する命令の入力を受るための操作手段と、
前記撮影装置の動作を制御するための制御手段とを備え、
前記制御手段は、
前記第１のカメラからの第１の画像を前記モニタに表示させ、
前記第１の画像の一部を指定する操作に基づいて、前記第２のカメラからの画像であって、前記指定された部分を含み、かつ、予め設定された倍率で前記第１の画像を拡大して得られる第２の画像を、前記モニタに表示させ、
シャッター操作に基づいて、前記第１の画像と、前記第２の画像とを撮像する、撮影装置。
【請求項２】
前記制御手段は、
前記画像の一部を指定する操作に基づいて、前記第１の画像を縮小して得られる画像と、前記第２の画像とを前記モニタに表示させる、請求項１に記載の撮影装置。
【請求項３】
前記制御手段は、
前記第１のカメラからの画像と、前記第２のカメラからの画像とを並べて前記モニタに表示させる、請求項１または２に記載の撮影装置。
【請求項４】
前記第１のカメラのための撮影条件と、前記第２のカメラのための撮影条件とは、独立である、請求項１〜３のいずれかに記載の撮影装置。
【請求項５】
前記制御手段は、前記画像の一部を指定する操作に基づいて、前記第２のカメラの光学ズームの限界まで倍率を拡大する、請求項１〜４のいずれかに記載の撮影装置。
【請求項６】
前記制御手段は、
前記第１のカメラの撮像によって得られる画像のデータと、前記第２のカメラの撮像によって得られる画像のデータとを用いて、前記第２の画像を生成し、生成によって得られた第２の画像を前記モニタに表示させる、請求項１〜５のいずれかに記載の撮影装置。
【請求項７】
請求項１〜６のいずれかに記載の撮影装置を備える、携帯情報処理端末。
【請求項８】
携帯情報処理端末を制御するためのプログラムであって、
前記携帯情報処理端末は、
第１のカメラと、
第２のカメラと、
モニタと、
前記携帯情報処理端末に対する命令の入力を受るための操作装置と、
前記携帯情報処理端末の動作を制御するためのプロセッサとを備えており、前記プログラムは、前記プロセッサに、
前記第１のカメラからの第１の画像を前記モニタに表示するステップと、
前記第１の画像の一部を指定する操作に基づいて、前記第２のカメラからの画像であって、前記指定された部分を含み、かつ、予め設定された倍率で前記第１の画像を拡大して得られる第２の画像を、前記モニタに表示するステップと、
シャッター操作に基づいて、前記第１の画像と、前記第２の画像とを撮像するステップとを実行させる、プログラム。
【発明の詳細な説明】
【技術分野】
【０００１】
本発明は、撮影装置の制御に関し、より特定的には、２つのカメラを有する撮影装置の制御に関する。
【背景技術】
【０００２】
２つのカメラを有する所謂ツインカメラが知られている。ツインカメラに関し、たとえば、特開２００５−０７２６７８号公報（特許文献１）は、「動画撮影中にズーム機能を利用しながら良好な画像を連続的に記録することのできる撮像装置」を開示している（［要約］の［課題］参照）。特開２００８−０５４０６２号公報（特許文献２）は、「低消費電力で振れ補正の効果を体感できる撮像装置」を開示している（［要約］の［課題］参照）。
【０００３】
また、ツインカメラを用いて撮影する際、各カメラにおける露出の制御が問題となる。露出の制御に関し、たとえば、特開平４−３０９９３２号公報（特許文献３）は、「複数の露出制御モードを有するとともに、光学ズームと電子ズームとを有するトリミングカメラにおいて、被写体条件に応じて両ズーム機能の特徴を活かして好適な撮影倍率とトリミング倍率との組合せを設定可能にする」ための技術を開示している（［要約］の［目的］）。
【先行技術文献】
【特許文献】
【０００４】
【特許文献１】特開２００５−０７２６７８号公報
【特許文献２】特開２００８−０５４０６２号公報
【特許文献３】特開平４−３０９９３２号公報
【発明の概要】
【発明が解決しようとする課題】
【０００５】
しかしながら、従来の技術においては、たとえば、ツインカメラのユーザは、撮影前にどのモードで撮影するかを決めておく必要がある。そのため、たとえば、テレワイド撮影が必要になった場合には、操作手順が多くなり、シャッターチャンスを逃す場合もある。また、デジタル処理でズームすると画像情報が減るため、画質が劣化する場合がある。一眼での撮影を行った場合には、明暗および遠近に対して画像劣化が大きくなる場合がある。
【０００６】
本発明は、上述のような問題点を解決するためになされたものであって、その目的の一つは、シャッターチャンスを逃さない撮影装置を提供することである。他の目的は、画像劣化が防止される撮影装置を提供することである。
【０００７】
他の目的は、シャッターチャンスを逃さない撮影装置を有する携帯情報処理端末を提供することである。他の目的は、画像劣化が防止される撮影装置を有する携帯情報処理端末を提供することである。
【０００８】
他の目的は、シャッターチャンスを逃さない撮影装置として機能するように携帯情報処理端末を制御するためのプログラムを提供することである。他の目的は、画像劣化が防止される撮影装置として機能するように携帯情報処理端末を制御するためのプログラムを提供することである。
【課題を解決するための手段】
【０００９】
一実施の形態に従う撮影装置は、第１のカメラと、第２のカメラと、モニタと、撮影装置に対する命令の入力を受るための操作手段と、撮影装置の動作を制御するための制御手段とを備える。制御手段は、第１のカメラからの第１の画像をモニタに表示させ、第１の画像の一部を指定する操作に基づいて、第２のカメラからの画像であって、指定された部分を含み、かつ、予め設定された倍率で第１の画像を拡大して得られる第２の画像を、モニタに表示させ、シャッター操作に基づいて、第１の画像と、第２の画像とを撮像する。
【００１０】
好ましくは、制御手段は、画像の一部を指定する操作に基づいて、第１の画像を縮小して得られる画像と、第２の画像とをモニタに表示させる。
【００１１】
好ましくは、制御手段は、第１のカメラからの画像と、第２のカメラからの画像とを並べてモニタに表示させる。
【００１２】
好ましくは、第１のカメラのための撮影条件と、第２のカメラのための撮影条件とは、独立である。
【００１３】
好ましくは、制御手段は、画像の一部を指定する操作に基づいて、第２のカメラの光学ズームの限界まで倍率を拡大する。
【００１４】
好ましくは、制御手段は、第１のカメラの撮像によって得られる画像のデータと、第２のカメラの撮像によって得られる画像のデータとを用いて、第２の画像を生成し、生成によって得られた第２の画像をモニタに表示させる。
【００１５】
他の実施の形態に従うと、上記のいずれかに記載の撮影装置を備える携帯情報処理端末が提供される。
【００１６】
さらに他の局面に従うと、携帯情報処理端末を制御するためのプログラムが提供される。携帯情報処理端末は、第１のカメラと、第２のカメラと、モニタと、形態情報処理端末に対する命令の入力を受るための操作装置と、携帯情報処理端末の動作を制御するためのプロセッサとを備えている。プログラムは、プロセッサに、第１のカメラからの第１の画像をモニタに表示するステップと、第１の画像の一部を指定する操作に基づいて、第２のカメラからの画像であって、指定された部分を含み、かつ、予め設定された倍率で第１の画像を拡大して得られる第２の画像を、モニタに表示するステップと、シャッター操作に基づいて、第１の画像と、第２の画像とを撮像するステップとを実行させる。
【発明の効果】
【００１７】
ある局面に従う撮影装置によると、シャッターチャンスを逃すことなく撮影できる。
この発明の上記および他の目的、特徴、局面および利点は、添付の図面と関連して理解されるこの発明に関する次の詳細な説明から明らかとなるであろう。
【図面の簡単な説明】
【００１８】
【図１】撮影装置１００に表示される画面の変化を表わす図である。
【図２】撮影装置１００のハードウェア構成を表わすブロック図である。
【図３】撮影装置１００のＣＰＵ１１０が実行する一連の処理の一部を表わすフローチャートである。
【図４】モニタ１２０に表示される画像の推移を表わす図である。
【発明を実施するための形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２０】
［技術思想］
図１を参照して、本発明の実施の形態に係る撮影装置１００の技術思想について説明する。図１は、撮影装置１００に表示される画面の変化を表わす図である。
【００２１】
撮影装置１００は、モニタ１２０を備える。モニタ１２０は、その表示領域に、第１のカメラからの画面１０を表示する。その状態で、撮影装置１００のユーザがズームしたいエリア２０をタッチ操作により選択すると、状態（Ｂ）に示されるように、モニタ１２０は、ズームしたいエリア２０を含むエリア３０を光学ズームの対象として検知する。そして、モニタ１２０は、その表示領域に、第１のカメラからの画像に基づいて得られるワイド画面４０と、第２のカメラを光学ズームすることによって得られるズーム画面５０とを表示する。なお、画像を拡大するために、ある局面において、光学ズームがその限界まで用いられ、光学ズームの限界を超えるズームについては、デジタルズームが用いられる。
【００２２】
エリア２０は、たとえば、タッチ操作が検知された部分を予め定められたピクセル数で囲んだ矩形の領域として、当該タッチ操作に基づいて特定される。エリア３０は、たとえば、エリア２０を予め定められたピクセル数で囲んだ矩形の領域として規定される。エリア２０またはエリア３０の「予め定められたピクセル数」は、撮影装置１００のユーザによって変更可能であってもよい。
【００２３】
また、当該矩形の領域の位置を定める点としては、矩形の範囲として特定されたエリア２０の４隅（左上、左下、右上、右下）のいずれかの座標値が用いられ得る。いずれの座標値が用いられるかは、たとえば、モニタ１２０の表示領域におけるエリア２０の位置に応じて決められる。たとえば、エリア２０が表示領域の左上において検知された場合には、エリア２０を含むエリア３０は、エリア２０の左上の座標値から予め定められたピクセル数を含む領域として決定される。
【００２４】
ある局面において、撮影装置１００は、携帯電話機、スマートフォン、タブレットコンピュータその他の複数のカメラを有する情報処理端末として実現される。また、撮影装置１００は、２次元画像のための撮影に加えて、３次元画像のための撮影においても実現できる。
【００２５】
［ハードウェア構成］
図２を参照して、本発明の実施の形態に係る撮影装置１００の構成について説明する。図２は、撮影装置１００のハードウェア構成を表わすブロック図である。
【００２６】
撮影装置１００は、ＣＰＵ（Central  Processing  Unit）１１０と、モニタ１２０と、タッチパネル１３０と、第１のカメラ１４０と、第２のカメラ１５０と、ＲＡＭ（Random  Access  Memory）１６０と、メモリカードリーダ／ライタ１７０とを備える。メモリカードリーダ／ライタ１７０には、メモリカード１８０が装着可能である。
【００２７】
第１のカメラ１４０は、レンズ１４１と、ＡＦ（Auto  Focus）モータ１４２と、モータドライバ１４３と、ＩＳＰ（Image  Signal  Processor）１４４と、画像センサ１４５とを含む。第２のカメラ１５０は、レンズ１５１と、ＡＦモータ１５２と、モータドライバ１４３と、ＩＳＰ１５４と、画像センサ１５５とを含む。
【００２８】
ＣＰＵ１１０は、撮影装置１００の動作を制御する。ＣＰＵ１１０は、また、ＩＳＰ１４４から出力されるデータおよびＩＳＰ１５４から出力されるデータを用いて画像から被写体を検出し、特徴量を算出し、また、各データを合成する。被写体の検出は、公知の顔認識処理、ペット認識処理等で実行される。特徴量の算出も、周知の技術を用いて実行される。
【００２９】
モニタ１２０は、画像を表示する。画像は、静止画および動画を含む。モニタ１２０は、液晶モニタ、有機ＥＬ（Electro  Luminescence）モニタのいずれであってもよい。
【００３０】
タッチパネル１３０は、撮影装置１００に対する命令の入力をタッチ操作として受け付ける。タッチパネル１３０は、たとえばモニタ１２０の上面に配置される。
【００３１】
第１のカメラ１４０および第２のカメラ１５０は、それぞれ撮影装置１００の筐体の前方に並んで配置される。第１のカメラ１４０は、ある局面において、デフォルトで作動するカメラとして設定される。すなわち、撮影装置１００が一つのカメラを用いて撮影する場合には、第１のカメラ１４０を用いて撮影する。
【００３２】
レンズ１４１は、撮影装置１００の外部から光を受ける。ＡＦモータ１４２は、レンズ１４１の動作（ズームまたはワイド）を実現するためにレンズ１４１を駆動する。モータドライバ１４３は、ＣＰＵ１１０から送られる信号に基づいてＡＦモータ１４２を駆動する。画像センサ１４５は、レンズ１４１を通して入射される光信号を電気信号に変換する。ＩＳＰ１４４は、画像センサ１４５から送られる電気信号を、予め定められた処理を用いて画像処理を実行し、実行によって得られたデータをＣＰＵ１１０に送出する。
【００３３】
第２のカメラ１５０において、レンズ１５１は、撮影装置１００の外部の光を集める。ＡＦモータ１５２は、レンズ１５１のズームまたはワイドを実現するためにレンズ１５１を駆動する。モータドライバ１５３は、ＣＰＵ１１０から送られる信号に基づいてＡＦモータ１５２を駆動する。画像センサ１５５は、レンズ１５１を通して入射する光信号を電気信号に変換する。変換後の電気信号は、ＩＳＰ１５４に入力される。ＩＳＰ１５４は、予め定められた処理アルゴリズムを適用することにより電気信号の画像処理を実行し、処理後の信号をＣＰＵ１１０に送出する。
【００３４】
ＲＡＭ１６０は、第１のカメラ１４０または第２のカメラ１５０によって得られた画像のデータを格納する。メモリカードリーダ／ライタ１７０は、ＲＡＭ１６０に一時的に保持されているデータをメモリカード１８０に書き込む。他の局面において、メモリカードリーダ／ライタ１７０は、メモリカード１８０に格納されているデータを読み出し、ＣＰＵ１１０は、その読み出されたデータをＲＡＭ１６０に格納する。
【００３５】
ある局面において、ＣＰＵ１１０は、第１のカメラ１４０からの第１の画像をモニタ１２０に表示させる。第１の画像の一部を指定する操作としてタッチパネル１３０に与えられる操作に基づいて、ＣＰＵ１１０は、第２のカメラ１５０からの画像であって当該指定された部分を含み、かつ、予め設定された倍率で第１の画像を拡大して得られる第２の画像を、モニタ１２０に表示させる。さらに、ＣＰＵ１１０は、タッチパネル１３０に対して与えられるシャッタ操作に基づいて、第１の画像と第２の画像とを撮像する。
【００３６】
他の局面において、ＣＰＵ１１０は、画像の一部を指定する操作に基づいて、第１の画像を縮小して得られる画像と、第２の画像とを、モニタ１２０に表示させる。
【００３７】
他の局面において、ＣＰＵ１１０は、第１のカメラ１４０からの画像と、第２のカメラ１５０からの画像とを並べてモニタ１２０に表示させる。
【００３８】
ある局面において、第１のカメラ１４０のための撮影条件と、第２のカメラ１５０のための撮影条件とは、独立である。たとえば、第１のカメラ１４０の露出と第２のカメラ１５０の露出とは異なってもよい。また、第１のカメラ１４０のシャッタスピードと、第２のカメラ１５０のシャッタスピードとは、同じでなくてもよい。たとえば、ある局面において、第１のカメラ１４０および第２のカメラ１５０のうちズームされているカメラのシャッタスピードが、そうでないカメラのシャッタスピードよりも速くてもよい。この場合、手ブレによる画質の低下が防止され得る。
【００３９】
ＣＰＵ１１０は、画像の一部を指定する操作に基づいて、第２のカメラ１５０の光学ズームの限界まで、倍率を拡大する。光学ズームの限界を超えるズームが求められている場合には、ＣＰＵ１１０は、さらに、デジタルズームを実行する。
【００４０】
他の局面において、ＣＰＵ１１０は、第１のカメラ１４０の撮像によって得られる画像のデータと、第２のカメラ１５０の撮像によって得られる画像のデータとを用いて、第２の画像を生成し、生成によって得られた第２の画像をモニタ１２０に表示させる。
【００４１】
さらに、変形例として、他の局面において、ズーム画面５０においてユーザがドラッグ操作を行なった場合には、ズーム対象となる画像がそのドラッグ操作に応じて切り換えられるものであってもよい。たとえば、ユーザがズーム画面５０の端に表示されている画像をズーム画面５０の表示領域の中央に移動するためのドラッグ操作を行なうと、ＣＰＵ１１０は、タッチパネル１３０から出力されるデータに基づいて、ドラッグ操作が行なわれたことを検知する。ＣＰＵ１１０は、そのデータに基づいて当該画像の移動量を計算する。ＣＰＵ１１０は、計算した移動量を用いて、表示領域の中央に表示されるべき画像を特定する。これは、図１を参照して説明したように、エリア３０の領域を決定するためのアルゴリズムを用いて行なわれる。このようにすると、ズーム画像として表示されている画像の中心位置を変更することができるため、ユーザは、ワイド画像として表示される内容を維持しつつ、ズーム画像の表示対象を変更することができる。
【００４２】
［制御構造］
図３を参照して、本発明の実施の形態に係る撮影装置１００の制御構造について説明する。図３は、撮影装置１００のＣＰＵ１１０が実行する一連の処理の一部を表わすフローチャートである。
【００４３】
ステップＳ３１０にて、ＣＰＵ１１０は、タッチパネル１３０から送られる信号に基づきカメラ機能がオンに設定されたことを検知し、第１のカメラ１４０を起動する。
【００４４】
ステップＳ３２０にて、ＣＰＵ１１０は、第１のカメラ１４０の撮像によって得られる画像をモニタ１２０に表示する。このとき、撮影装置１００のユーザが第１のカメラ１４０によるズームまたはワイドの操作を検知すると、ＣＰＵ１１０はその検知に応じてＡＦモータ１４２を駆動し、レンズ１４１をその駆動に応じた位置に変更する。ＣＰＵ１１０は、変更後のレンズ１４１から得られる画像をモニタ１２０に表示する。
【００４５】
ステップＳ３３０にて、ＣＰＵ１１０は、モニタ１２０に表示されている、第１のカメラ１４０からの画像の一部を指定するためのタッチパネル１３０へのタッチ操作を検知する。
【００４６】
ステップＳ３４０にて、ＣＰＵ１１０は、そのタッチ操作の検知に応答して、第２のカメラ１５０を起動する。ＣＰＵ１１０は、タッチ操作によって特定される場所を含む予め設定された範囲まで画像が拡大するように、ＡＦモータ１５２を駆動してレンズ１５１の位置を変更する。ＣＰＵ１１０は、その変更後の位置に配置されるレンズ１５１を通して得られる画像の入力を受け付ける。
【００４７】
ステップＳ３５０にて、ＣＰＵ１１０は、第１のカメラ１４０からの画像をモニタ１２０の左半分の表示領域に表示し、タッチ操作が検知された領域を含むズーム領域の画像として、第２のカメラ１５０からの画像をモニタ１２０の表示領域の右半分に表示する。
【００４８】
ステップＳ３６０にて、ＣＰＵ１１０を、タッチパネル１３０から送られる信号に基づいて、撮影装置１００に対するシャッタ操作を検知する。
【００４９】
ステップＳ３７０にて、ＣＰＵ１１０は、第１のカメラ１４０による撮影および第２のカメラ１５０による撮影を実行し、ＩＳＰ１４４から得られる第１の画像のデータとＩＳＰ１５４から得られる第２の画像のデータとを、ＲＡＭ１６０に格納する。
【００５０】
ステップＳ３８０にて、ＣＰＵ１１０は、タッチパネル１３０に対して与えられるタッチ操作に基づき、撮影によって得られたデータの保存の命令が与えられたことを検知し、ＲＡＭ１６０に格納されているデータをメモリカード１８０に書き込む。
【００５１】
［表示態様］
図４を参照して、本実施の形態に係る撮影装置１００における画像の表示態様について説明する。図４は、モニタ１２０に表示される画像の推移を表わす図である。
【００５２】
状態（Ａ）において、撮影装置１００のモニタ１２０は、第１のカメラ１４０の撮像によって得られた画面４００を表示している。ここで、撮影装置１００のユーザの指４５０が、画面４００のうちの画像４０１の近傍をタッチ操作すると、状態（Ｂ）に示されるように、モニタ１２０は、第１のカメラ１４０による画像に加えて、第２のカメラ１５０による画像を表示する。第１のカメラ１４０による画像は、画面４００を縮小して得られる画面４１０である。第２のカメラ１５０による画像は、画像４０１を含み、かつ、予め定められた領域まで拡大することによって得られた画面４２０である。この場合、拡大は、光学ズームおよびデジタルズームのいずれか、または、各ズームの組み合わせとして行なわれる。
【００５３】
その後、撮影装置１００のユーザが画面の保存のための操作をタッチパネル１３０に対して行なうと、状態（Ｃ）に示されるように、画面４３０に相当するデータと、状態（Ｄ）に示されるように、画面４４０に相当するデータとは、それぞれ、メモリカードリーダ／ライタ１７０によってメモリカード１８０に関連付けて格納される。
【００５４】
ここで、状態（Ｄ）に示されるズーム画像は、たとえば、第２のカメラ１５０による画像と、ワイド画像として第１のカメラ１４０によって取得されている画像とを合成することにより、ＣＰＵ１１０によって生成される。この場合、ＣＰＵ１１０による画像処理は、たとえば、次のようにして行なわれる。ＣＰＵ１１０は、各画像において抽出される特徴量に基づいて被写体を認識する。特徴量の算出、あるいは、被写体の認識（顔認識、ペット認識等）は、周知の技術を用いて行なわれる。認識される被写体の数は、画像の合成の精度の観点からは、複数の方が好ましい。複数の被写体に基づいて合成の対象となる領域を特定することにより、合成の際に用いられる画像のデータが正確に特定されるので、合成の精度が向上し得る。
【００５５】
以上のように、本発明の実施の形態に係る撮影装置１００によると、（１）１度の操作で同時撮影できるのでシャッターチャンスを逃すことなく静止画を撮影することができる。（２）２つの画像の露出を最適な状態で撮影できる。たとえば、部分的に暗いところ、明るいところもきれいにズームすることができる。また、このとき、ズーム側のシャッタースピードを上げることにより、手触れが防止され得る。（３）２つの画像のＡＦを最適な状態で撮影することができる。（４）画像合成により、画素を疑似的に増加することができるので画質が向上し得る。（５）光学ズームを用いて拡大された画像を撮影するので、画質劣化を抑制して画像を保存することができる。
【００５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５７】
本発明は、携帯電話機、スマートフォン、タブレットコンピュータその他の複数のカメラを有する情報処理端末に適用可能である。
【符号の説明】
【００５８】
１００  撮影装置、１２０  モニタ、１３０  タッチパネル、１４０  第１のカメラ、１４１，１５１  レンズ、１４２，１５２  モータ、１４３，１５３  モータドライバ、１４５，１５５  画像センサ、１５０  第２のカメラ、１６０  ＲＡＭ、１７０  リーダ／ライタ、１８０  メモリカード、４０１  画像、４５０  指。
【図１】
2013038632.tif 000003
【図２】
2013038632.tif 000004
【図３】
2013038632.tif 000005
【図４】
2013038632.tif 000006